(57)【要約】【課題】募集情報を出したユーザが自己の募集に対する応募情報やその募集目的に適う他のユーザからの情報を容易に入手できるようにする。【解決手段】複数のユーザ端末１１Ａ〜１１Ｄから送信される募集情報を所定のネットワークあるいはインターネットを構成する伝送媒体３０を介して受信するデータ提供者側のサーバ２０と、このサーバ２０で受信した募集情報を蓄積するデータ蓄積装置２５と、データ蓄積装置２５に蓄積された募集情報に基づいて目的の合致する募集情報を集めた複数の目的別の募集情報リスト１００を作成するリスト作成装置としてサーバ２０とを備え、サーバ２０が、各ユーザ端末１１Ａ〜１１Ｄに対して、各ユーザ端末からの募集情報の目的に対応する目的別募集情報リストを送信するように構成する。【選択図】図１
2007226841.tif 000002
【特許請求の範囲】
【請求項１】
複数のユーザ端末から送信される募集情報を所定のネットワークあるいはインターネットを構成する伝送媒体を介して受信するデータ提供者側のサーバと、
該サーバで受信した募集情報を蓄積するデータ蓄積装置と、
該データ蓄積装置に蓄積された前記募集情報に基づいて目的の合致する募集情報を集めた複数の目的別の募集情報リストを作成するリスト作成装置とを備え、
前記データ提供者側のサーバが、各ユーザ端末に対して、各ユーザ端末からの募集情報の目的に対応する前記目的別の募集情報リストを送信することを特徴とする募集目的別リスト作成システム。
【請求項２】
前記募集情報が、前記データ提供者側のサーバから前記ユーザ端末に送信された募集フォーマット画面の各入力項目への入力データであることを特徴とする請求項１の募集目的別リスト作成システム。
【請求項３】
前記リスト作成装置が、前記目的別の募集情報リストの各々に、前記目的の合致する募集情報のうち特定入力項目のデータを記載することを特徴とする請求項２記載の募集目的別リスト作成システム。
【請求項４】
各ユーザに送信する前記目的別の募集情報リストのデータ量に応じて該募集情報リストの作成料金を決定する料金決定装置を設けたことを特徴とする請求項１、２又は３記載の募集目的別リスト作成システム。
【請求項５】
複数のユーザ端末から送信された募集情報を所定のネットワークあるいはインターネットを構成する伝送媒体を介しデータ提供者側のサーバに受信して蓄積し、
該蓄積された前記募集情報に基づいて目的の合致する募集情報を集めた複数の目的別の募集情報リストを作成し、
各ユーザ端末に対して、各ユーザ端末からの募集情報の目的に対応する前記目的別の募集情報リストを送信することを特徴とする募集目的別リスト作成方法。
【請求項６】
前記データ提供者側のサーバに各ユーザ端末からの前記募集情報を受信するのに先立って、前記データ提供者側のサーバから該ユーザ端末に所定の募集フォーマット画面のデータを送信しておき、該募集フォーマット画面の複数の入力項目について入力されたデータによって前記募集情報が構成されるようにしたことを特徴とする請求項５記載の募集目的別リスト作成方法。
【発明の詳細な説明】
【技術分野】
【０００１】
本発明は、ネット上において任意の目的で仲間や参加者を募るユーザに対して、その募集目的に合致する他のユーザからの募集情報をまとめたリストを作成し、送信するシステムおよび方法に関する。
【背景技術】
【０００２】
従来、インターネットを介して仲間を募集する場合は、検索エンジンのホームページ（サイト）における掲示板や、自己のホームページ（以下、ＨＰと記す）が利用されている。この掲示板は、通常、書き込む文章の書式が各掲示の作成者に委ねられたフリーフォーマットとなっており、例えば自分の探したい仲間、募集の目的や範囲、応募の条件などを掲示情報に自由に記載できるようになっている。
【０００３】
そして、募集情報を出した各自が、掲示板上の自己の募集情報に対し何らかの投稿（応募）があったか否か、あるいは同一目的の他者の募集情報が掲示板に出ているか否かといったチェックを行う。
【０００４】
また、掲示板に投稿された情報は、例えばその投稿日時の順にそれぞれのタイトルを付けた状態で並べて表示され、画面上での応募情報を選択して閲覧できるようになっている。この場合、投稿数が多くなると、表示画面中に全ての投稿のタイトル等を表示できないため、画面をスクロール（参照画面領域を移動）させて参照するようになっている。
【発明の開示】
【発明が解決しようとする課題】
【０００５】
しかしながら、上記従来の掲示板等における募集情報に対する投稿リストの作成システムおよび方法あっては、次のような問題があった。
【０００６】
（１）掲示板への書き込みがフリーフォーマットなので、書き込み内容をよく読まなければ、投稿者や他に募集の書き込みを行った人が自分の探している仲間なのか、その投稿や書き込みの目的が自己の募集目的と合致しているかといった判断が容易にできない。
【０００７】
（２）自分の書き込みに対して投稿があるたびに不規則に投稿リストが更新されることになるので、募集情報を掲示板に出している間は頻繁に掲示板を監視していなければならず、その監視に要する時間的負担が非常に大きい。
【０００８】
（３）掲示板の容量、特に表示する容量が小さいので、他の目的の書き込みがたくさんあった場合等には、自分の見たい書き込みが探し難くなるか、最悪の場合は消去されてしまう。
【０００９】
（４）多くの場合、１つの掲示板に多数の募集情報が掲示されるので、募集情報を掲示板に書き込んでから時間が経つと、新しい他の書き込みによって先に書き込んだ掲示板上の募集情報が表示画面外に追いやられてしまい、募集効果がほとんどなくなってしまう。
【００１０】
そこで本発明は、募集情報を出したユーザが自己の募集に対する応募情報やその募集目的に適う他のユーザからの情報を容易に入手できるようにすることを目的とするものである。
【課題を解決するための手段】
【００１１】
上記課題を解決するため、本発明は、複数のユーザ端末から送信された募集情報を所定のネットワークあるいはインターネットを構成する伝送媒体を介し受信するデータ提供者側のサーバと、該サーバで受信した募集情報を蓄積するデータ蓄積装置と、該データ蓄積装置に蓄積された前記募集情報に基づいて目的の合致する募集情報を集めた複数の目的別の募集情報リストを作成するリスト作成装置とを備え、前記データ提供者側のサーバが、各ユーザ端末に対して、各ユーザ端末からの募集情報の目的に対応する前記目的別の募集情報リストを送信することを特徴とする。
【００１２】
この発明の募集目的別リスト作成システムでは、データ提供者側でサーバに受信された募集情報がデータ蓄積装置に蓄積され、その蓄積情報に基づいて目的の合致する募集情報を集めた複数の目的別の募集情報リストがリスト作成装置により作成される。そして、そのサーバから各ユーザ端末に対して、各ユーザの募集目的に対応する目的別の募集情報リストが送信される。したがって、募集情報を出したユーザが自己の募集目的に適う応募情報やその募集目的に関連する他の募集者情報等を容易に参照できることとなり、募集後の監視負担も大幅に軽減される。また、各ユーザの募集目的に適う他のユーザの情報が確実に入手でき、募集情報が時間の経過とともに掲示板上で参照し難くなったり参照画面領域から外れて募集効果が著しく低下したりするという問題が解消される。
【００１３】
また、この募集目的別リスト作成システムにおいては、前記募集情報が、前記データ提供者側のサーバから前記ユーザ端末に送信された募集フォーマット画面の各入力項目への入力データであるのが好ましい。このようにすると、データ提供者側で募集情報の目的等の必要事項を的確に把握することができ、目的別の募集情報リストを容易にかつ迅速に作成することができるとともに、ユーザ側でもそのリストの内容を容易に把握することができる。したがって、ユーザが必要と思う他のユーザに容易にコンタクトすることができるようになる。
【００１４】
この場合、前記リスト作成装置が、前記目的別の募集情報リストの各々に、前記目的の合致する募集情報のうち特定入力項目のデータを記載するのがよい。記載する項目を適宜設定することで、募集情報リストを受け取ったユーザが自らの希望条件に適うか否かを容易に判定できるようにすることができる。
【００１５】
また、上記募集目的別リスト作成システムにおいては、各ユーザに送信する前記目的別の募集情報リストのデータ量に応じて該募集情報リストの作成料金を決定する料金決定装置を設けることができる。この構成では、募集情報リストの作成工数に応じた作成料金を発生させることができる。この料金は、ユーザに従量制の課金を行うのに好適であるが、必ずしもユーザに課金する場合に限定されるものではなく、必要な広告掲載料とすることもできる。
【００１６】
一方、本発明の募集目的別リスト作成方法は、複数のユーザ端末から送信された募集情報を所定のネットワークあるいはインターネットを構成する伝送媒体を介しデータ提供者側のサーバに受信して蓄積し、該蓄積された前記募集情報に基づいて目的の合致する募集情報を集めた複数の目的別の募集情報リストを作成し、各ユーザ端末に対して、各ユーザ端末からの募集情報の目的に対応する前記目的別の募集情報リストを送信することを特徴とするものである。
【００１７】
この募集目的別リスト作成方法では、サーバに受信され蓄積された募集情報に基づいて、目的の合致する募集情報を集めた複数の目的別の募集情報リストが作成され、そのサーバから各ユーザ端末に対して、各ユーザの募集目的に対応する目的別の募集情報リストが送信される。したがって、募集情報を出したユーザが自己の募集に対する応募情報やその募集目的に関連する他の募集者情報等を頻繁にモニタしなければならないといった煩雑さを解消することができる。また、各ユーザの募集目的に適う他のユーザの情報が確実に入手でき、募集情報が時間の経過とともに掲示板上で参照し難くなったり参照画面領域から外れて募集効果が著しく低下したりするといった従来の問題が解消される。
【００１８】
本発明の募集目的別リスト作成方法では、さらに、前記データ提供者側のサーバに各ユーザ端末からの前記募集情報を受信するのに先立って、前記データ提供者側のサーバから該ユーザ端末に所定の募集フォーマット画面のデータを送信しておき、該募集フォーマット画面の複数の入力項目について入力されたデータによって前記募集情報が構成されるようにするのが好ましい。このようにすると、データ提供者側で募集情報の目的等の必要事項を的確に把握することができ、目的別の募集情報リストを容易にかつ迅速に作成することができるとともに、ユーザ側でもそのリストの内容を容易に把握することができる。
【発明の効果】
【００１９】
本発明によれば、募集情報を出したユーザが自己の募集目的に適う応募情報やその募集目的に関連する他の多数のユーザの募集者情報等を容易に参照することができ、募集後の監視負担が大幅に軽減できる。また、各ユーザの募集目的に適う他のユーザの情報を確実に入手でき、募集情報が時間の経過とともに掲示板上で参照し難くなったり参照画面領域から外れて募集効果が著しく低下したりするといった問題を解消することができる。
【発明を実施するための最良の形態】
【００２０】
以下、本発明の好ましい実施形態を図面に基づいて説明する。
図１〜図７は本発明に係る募集目的別リスト作成システムの一実施形態を示す図である。
【００２１】
図１において、１１Ａ、１１Ｂ、１１Ｃ、１１Ｄは所定のネットワーク又はインターネット接続環境を有する複数のユーザ端末（代表して４端末を図中に例示している）であり、２０はデータ提供者側のサーバである。サーバ２０は、前記所定のネットワーク又はインターネットを構成する伝送媒体３０を介してユーザ端末１１Ａ〜１１Ｄに通信接続可能で、接続時に各ユーザ端末１１Ａ、１１Ｂ、１１Ｃ又は１１Ｄをクライアントとして認識し、各ユーザ端末１１Ａ、１１Ｂ、１１Ｃ又は１１Ｄ（任意の１つのユーザー端末を以下ユーザー端末１１という）から送信される情報を受信するとともに、そのユーザ端末１１に対し任意に閲覧可能な画面情報を提供することができる。すなわち、サーバ２０は、所定のウェブ（Ｗｅｂ）サイトを構築するウェブサーバ機能を有している。なお、ここにいうウェブサイトはサーバ２０が提供する画面情報（例えばホームページ全体）のことである。
【００２２】
サーバ２０のコンピュータ構成自体は公知のものであるから、ここでは詳述しないが、サーバ２０には受信した情報を蓄積するデータ蓄積装置２５が付設されている。そして、サーバ２０は、このデータ蓄積装置２５に蓄積しているホームページ表示用の情報を、クライアントとなる各ユーザ端末１１Ａ、１１Ｂ、１１Ｃ又は１１Ｄからの転送要求に応じて要求元端末に送信し、要求元端末において所定のホームページを表示させることができる。
【００２３】
また、サーバ２０は、各ユーザ端末１１から送信された募集情報をデータ蓄積装置２５に蓄積し、その蓄積された募集情報に基づいて、目的の合致する募集情報を集めた複数の目的別の募集情報リストを作成するようになっている。ここで、「募集情報」とは、サーバ２０からユーザ端末１１Ａ〜１１Ｄにそれぞれ送信される所定の募集フォーマット画面の各入力項目にユーザが入力し又はその入力欄中の複数の選択肢から選択した内容のデータである。また、「募集」とは一例を挙げると、例えば、いっしょに旅行する仲間を募集する、馬主になりたいが一人では高額で買えないので仲間を募集する、ある事件の被害者として訴訟を起こす仲間を募集するといった具合に、共通の目的（同一の目的、又は、一方の目的を達成することで他方の目的が達成されるような相互の目的）を達成するために共通の目的を持った他の人を募集することである。
【００２４】
具体的には、募集情報はユーザがメールに必要な情報を記載し、データ提供者側のサーバに送信するものであってもよいが、サーバ２０側で募集情報書き込み用のフォーマットを用意してもおき、データ処理を効率的に行うのが好ましいでの、本実施形態においては、図２に示すような処理を実行する。
【００２５】
同図において、任意のユーザ端末、例えばユーザ端末１１Ａ〜１１Ｄのいずれか（以下、いずれかのユーザ端末１１という）からサーバ２０へのアクセスされると、サーバ２０はそのいずれかのユーザ端末１１にホームページ（図２中においてＨＰ）又はトップページのデータを送信する。そのホームページ又はトップページは、前記いずれかのユーザ端末１１からサーバ２０に対して募集情報入力についての意思表示の通知するためのマーカー表示やリンクボタン等が含んでおり、各ユーザ端末１１Ａ〜１１Ｄ側では、そのマーカー表示やリンクボタン等を操作することで、募集情報入力の意思表示の情報をサーバ２０に送信することができる。
【００２６】
サーバ２０は、そのユーザ端末１１からの意思表示情報を所定の募集情報入力フォーマットの転送要求と判定し、所定の募集情報入力フォーマットを要求元のいずれかのユーザ端末１１に送信するようになっている。
【００２７】
図３は前記募集フォーマット画面の一例を示す図である。
【００２８】
同図に示す募集フォーマット画面１００は、例えば「ジャンル」、「アクション」、「募集内容」、「個人情報欄」、「募集時期」、「名前」、「メールアドレス」、「連絡先」といった複数のデータ入力欄１０１、１０２、１０３、１０４、１０５、１０６、１０７、１０８を含み、各入力欄に該当する内容や希望条件等のデータを入力するようにしたものである。
【００２９】
ここで、「ジャンル」のデータ入力欄１０１は、募集の内容がどのジャンルに属するかを入力する欄で、その入力データを表示する。このジャンルのデータ入力欄１０１にはユーザが直接データを書き込んでもよいが、本実施形態においては図４（ａ）に示すようにプルダウンメニュー形式で選択入力できるようになっている。ジャンルの種類としては、例えば、芸術、ビジネス、経済、コンピュータ、インターネット、教育、政治、生活、スポーツ、買い物、趣味、医療、訴訟等が考えられる。また、このジャンルをさらに詳細にしたサブジャンルも考えられ、例えばスポーツならば、図４（ａ）に示すように、野球、サッカー、ラグビーなどである。さらにその下のジャンルを設けることもできる。
【００３０】
「アクション」のデータ入力欄１０２は、例えば何をしたいかを記入する入力欄である。このデータ入力欄１０２も、図４（ｂ）に示すようにプルダウンメニュー形式での入力が可能である。ここでのアクション入力は、例えば、見たい、鑑賞したい、聞きたい、買いたい、旅行したい、演奏したい、遊びに行きたい、お金儲けがしたい、健康になりたい等といった一定の行為を特定するものである。
【００３１】
「募集内容」のデータ入力欄１０３は、募集の詳細（内容、動機など）を記入する入力欄である。募集内容としては、例えば、馬主になりたいので、共同購入する人を募集するなどが挙げられる。
【００３２】
「個人情報欄」と記されたデータ入力欄１０４は、ユーザの個人情報、例えば家族構成、住所、年齢などの入力欄である。
【００３３】
募集フォーマット画面１００における「募集時期」は募集開始から一定の募集の期間、「名前」は募集情報を入力するユーザの氏名、「メールアドレス」は電子メールの宛先アドレス、「連絡先」は電話やファクシミリ等電子メール以外の通信方法による連絡先である。
【００３４】
なお、募集フォーマット画面１００へのデータ入力項目は、これらに限定されるものではなく、募集フォーマット画面１００に例えば「募集地域」、「募集年齢」、「募集する人の性別」等のような他の入力欄を設けてもよく、あるいは、オプション（又は詳細）の入力項目をプルダウンメニュー形式で展開できる「応募者の条件」等といった入力欄を設けてもよい。また、後述する、目的別募集情報リストにおいては、募集の目的や範囲、希望に応じて、入力者についての匿名性を持たせることも可能であり、直接連絡を取るまで氏名に代えてニックネーム等を使用することもできるという旨のメッセージを個人情報等の入力画面に表示したり、ヘルプ情報としたりすることができる。
【００３５】
データ提供者側のサーバ２０は、各ユーザ端末１１Ａ〜１１Ｄにおいて複数のデータ入力欄１０１〜１０８に入力されたデータを受信および入力し、その入力データを、一定の募集目的を持って他のユーザを募る募集情報として、データ蓄積装置２５に記憶蓄積する。さらに、サーバ２０は、各ユーザ端末１１Ａ〜１１Ｄに対して、各ユーザ端末１１Ａ〜１１Ｄからの募集情報の目的に対応する目的別の募集情報リストを作成し、それぞれの要求に応じた情報として送信することができる。すなわち、サーバ２０は前記目的別の募集情報リストを作成するリスト作成装置としても機能する。
【００３６】
ここでの募集情報リストの具体的な作成は、例えばジャンルおよびアクションを共通項にする募集情報を出したユーザ名等のリストを作成することによって行う。このリスト（募集情報リスト）には、共通の目的で募集情報を出したユーザについての必要な情報を記載する。その他必要な情報としては、上記募集情報のフォーマットの中の前記項目等が考えられる。最低必要なのは、例えばメールアドレスであるが、全ての項目を載せてもよいし、データの加工は自由である。
【００３７】
本実施形態においては、サーバ２０は、上述した目的別の募集情報リストの各々に、前記目的の合致する募集情報のうち募集フォーマット画面１００の特定入力項目に該当するデータを記載（又は画面表示）するようになっており、各ユーザが自己の募集情報入力に対しサーバ２０側から受け取った目的別の募集情報リストを参照することで、そこにリストアップされた他のユーザの情報が自己の募集目的に適うものであるか否かを容易に判定できるようになっている。
【００３８】
具体的には、サーバ２０によるリスト作成処理は、例えば図５に概要を示すようなもので、予め設定されたリスト作成時刻ごとに又は一定の周期で繰り返し実行される。なお、その処理開始時刻の前後において、ユーザ端末１１Ａ〜１１Ｄ等からデータ提供者側のサーバ２０に送信された募集情報は、サーバ２０によってその目的別に仕分けされ、データ蓄積装置２５に蓄積される。同図において、まず、サーバ−２０はデータ蓄積装置２５に蓄積したデータを内部のメインメモリーに読み込んでリスト作成の準備を開始し（ステップＳ1）、次いで、特定のジャンルを選択している募集情報のデータを抽出する（ステップＳ2）。いま、ここで、例えば「スポーツ」が特定のジャンルであるとすると、サーバ２０は「スポーツ」を選択している募集情報のデータを抽出し、その特定のジャンルで抽出したデータのうち特定サブジャンルを選択している募集情報のデータを抽出する（ステップＳ3）。このとき、特定のサブジャンルが例えば「野球」であるとすると、サーバ２０は「スポーツ」を選択している募集情報のデータのうちからサブジャンルとして「野球」を選択している募集情報を抽出する。
【００３９】
次いで、サーバ２０は、前記特定のジャンルおよびサブジャンルで抽出したデータのうちから、特定のアクションを選択している募集情報のデータ、例えば「チームを作りたい」を選択しているデータを抽出する（ステップＳ4）。また、この特定のジャンル、サブジャンルおよびアクションで抽出したデータのうち、「募集地域」として特定の地域を指定している募集情報、例えば「厚木市」を指定している募集情報のデータを抽出する（ステップＳ5）。そして、このように特定のジャンル、サブジャンル、アクションおよび募集地域で抽出した募集情報のデータに含まれるユーザの情報、例えばユーザの名前とそのユーザの電子メールアドレスを抽出し（ステップＳ6）、抽出されたユーザ名等をリストアップするとともに募集目的を併記した目的別募集情報リストを作成し、送信予定の目的別募集情報リストとして一旦データ蓄積装置２５に保存する（ステップＳ7）。
【００４０】
図６はステップＳ7で作成した目的別募集情報リストの一例を示す図であり、このリスト１２０には特定地域として厚木市において野球チームを作りたいという希望を持つユーザの名前とそれぞれの電子メールアドレスがリストアップされている。
【００４１】
ところで、ユーザが入力した募集情報がユーザ端末１１Ａ〜１１Ｄ等からデータ提供者側のサーバ２０に送信され、その目的別に仕分けされてデータ蓄積装置２５に蓄積されると、上述したリスト作成処理の実行により、同じ目的の募集情報が逐次同じ目的の募集情報リストに追加される。
【００４２】
各ユーザは、自分で募集情報を入力した後、一定時間内に、自分と共通の目的で募集情報を出した他のユーザのリストを手に入れることができることになる。
【００４３】
上記ユーザへの目的別募集情報リスト１２０等の送信は、ユーザからの募集情報入力後の一度だけでもよいが、定期的に複数回送信（例えば電子メール送信）するようにしてもよい。また、目的別募集情報リストの送信は目的の共通（合致）する全ユーザに対して行ってよいし、例えば募集時期、住所等の情報によって選択されリストアップされた一部のユーザに対してのみ行ってもよい。
【００４４】
サーバ２０は、また、各目的別の募集情報リストのデータ量に応じその募集情報リストの作成料金を決定する料金決定装置としての機能を併せ持っている。すなわち、サーバ２０は前記目的別の募集情報リスト１２０等の送信に先立って、後述する料金決定処理を実行するようになっており、ユーザへの課金有りの場合、リストに掲載される人の数（リストアップ件数）、あるいは募集情報リストのファイルサイズや文字数がデータ量となる。ただし、従量制であっても、データ量の多少を複数のデータ量の範囲に区分してリスト作成料金を設定したり、一定料金の会員制としたりすることができる。また、ユーザ自身が負担するのでなく、募集目的に応じて募集情報リスト１２０等に広告を掲載し、広告料を徴収することもできる。さらに、課金有りで募集情報リストの送信を依頼するか、募集情報リストへの広告掲載を許容して課金なしとするかを、ユーザに選択させるようにすることも考えられる。
【００４５】
具体的には、料金決定装置としてのサーバ２０は、例えば図７に示すような処理を、予め設定されたリスト送信処理時刻ごとに又は一定の周期で繰り返し実行する。同図においては、まず、次に送信する予定の目的別募集情報リスト、例えば目的別募集情報リスト１２０のデータがサーバ２０のメモリに読み込まれ（ステップＳ11）、その目的別募集情報リストにリストアップしたユーザ名等のリストアップ件数がそのデータ量としてチェックされる（ステップＳ12）。次いで、その送信予定の目的別募集情報リストについてユーザ課金があるか否かを判別する（ステップＳ13）。ここでは、例えば一定の会員のユーザへのリスト送信の場合あるいはリストに添付する広告情報がある場合には個々のリスト送信についてユーザ課金を行わないものとする。ユーザ課金がある場合、ユーザに課金すべきリスト作成料および送付手数料を送付（例えばデータで送信）するデータ量に応じて決定し、今回のリスト送信に対する課金の情報としてメモリにストアする（ステップＳ14）。
【００４６】
一方、ユーザ課金に代わる広告がある場合には、送信予定の目的別募集情報リストに掲載すべき広告情報を付加した送信情報を作成する（ステップＳ15）このようにして、送信予定の目的別募集情報リストへの課金準備および広告掲載の準備が完了すると、次いで、送信予定の目的別募集情報リストを対象となるユーザ端末１１Ａ〜１１Ｄ等に送信して（ステップＳ16）、今回の処理を終了する。ここでの送信対象のユーザは、送信予定の目的別募集情報リストに対応する目的の募集情報を入力したユーザであって、他の条件に応じてリスト配信を受ける対象者として選択された者である。
【００４７】
ユーザ課金有りの場合、前記課金情報は定期的に集計され、サーバ２０を所有するデータ提供者とユーザとの間で予め取り交わされた契約に従って、ユーザへの課金がなされることとなる。なお、従量制の課金における、前記目的別募集情報リスト１２０等のデータ量は、リストアップされたユーザ（仲間となる者）の数等の他、単純に送信リストの実際のデータ量によって設定することもできる。また、前記一定の会員のユーザとは、データ提供者との契約により、データ提供者に定額料金を支払っているユーザをいう。
【００４８】
上述のように、本実施形態の募集目的別リスト作成システムでは、データ提供者側でサーバ２０に受信された募集情報がデータ蓄積装置２５に蓄積され、その蓄積情報に基づいて目的の合致する募集情報を集めた複数の目的別の募集情報リストがリスト作成装置であるサーバ２０により作成される。そして、そのサーバ２０から各ユーザ端末１１Ａ〜１１Ｄ等に対して、各ユーザの募集目的に対応する目的別の募集情報リストが送信される。したがって、募集情報を出したユーザが自己の募集目的に適う応募情報やその募集目的に関連する他の募集者情報等を容易に参照できることとなり、従来の掲示板に募集情報を出した場合に比べると、募集後の頻繁な掲示板監視等といった負担が大幅に軽減されることになる。また、フォーマット１００中の項目に対して該当する情報を入力するので、サーバ２０側でのデータ処理が簡単にかつ自動でできる。
【００４９】
また、本実施形態の募集目的別リスト作成システムにおいては、募集情報がデータ提供者側のサーバ２０から各ユーザ端末１１Ａ〜１１Ｄに送信された募集フォーマット画面１００の各入力項目１０１から１０８等への入力データの一部であるから、各ユーザがその募集目的に適う他のユーザの情報を確実に入手でき、募集情報が時間の経過とともに掲示板上で参照し難くなったり、自分の募集情報が参照画面領域から外れて募集効果が著しく低下したりするといった問題が解消される。また、データ提供者側で募集情報の目的等の必要事項を的確に把握することができ、目的別の募集情報リスト１２０等を容易にかつ迅速に作成することができる。また、ユーザ側でもそのリスト１２０等の内容を容易に把握することができるから、リスト送信を受けたユーザが必要と思う他のユーザに容易にコンタクトすることができるようになる。特に、目的別募集情報リスト１２０の各々に、目的の合致する募集情報のうち特定入力項目を適宜設定して記載することで、募集情報リスト１２０等を受け取ったユーザは自らの希望条件に適うか否かを自己の入力条件に照らして容易に判定できる。
【００５０】
また、上記募集目的別リスト作成システムでは、各ユーザに送信する目的別募集情報リスト１２０等のデータ量に応じてその作成料金を決定するようになっているので、募集情報リストの作成工数や広告の有無に応じて、必要な作成料金を適宜発生させることができ、ユーザに従量制の課金を行うことができる。もちろん、ユーザ課金に代えて、必要な広告掲載料とすることもできる。また、料金は固定であったり、数段階に区分されたコースごとの料金であったりしてもよいことはいうまでもない。
【００５１】
本実施形態の募集目的別リスト作成方法においては、上述のように、複数のユーザ端末１１Ａ〜１１Ｄ等から送信された募集情報を所定のネットワークあるいはインターネットを構成する伝送媒体３０を介しデータ提供者側のサーバ２０に受信して蓄積し、その蓄積された募集情報に基づいて、目的の合致する募集情報を集めた複数の目的別の募集情報リストを作成し、各ユーザ端末１１Ａ〜１１Ｄ等に対して、各ユーザ端末１１Ａ〜１１Ｄ等からの募集情報の目的に対応する目的別募集情報リストを送信する。したがって、掲示板に募集情報を出したユーザが自己の募集に対する応募情報やその募集目的に関連する他の募集者情報等を頻繁にモニタしなければならないといった従来の煩雑さを解消することができる。また、各ユーザの募集目的に適う他のユーザの情報が確実に入手でき、募集情報が時間の経過とともに掲示板上で参照し難くなったり参照画面領域から外れて募集効果が著しく低下したりするという問題が解消される。
【００５２】
さらに、本実施形態の募集目的別リスト作成方法では、データ提供者側のサーバ２０に各ユーザ端末１１Ａ〜１１Ｄ等からの募集情報を受信するのに先立って、サーバ２０からそのユーザ端末１１に所定の募集フォーマット画面１００のデータを送信しておき、その募集フォーマット画面１００の複数のデータ入力欄１０１〜１０８への入力データによって前記募集情報が構成されるようにしているので、データ提供者側で募集情報の目的等の必要事項を的確に把握することができ、目的別の募集情報リスト１２０を容易にかつ迅速に作成することができるとともに、ユーザ側でもそのリスト１２０の内容を容易に把握することができる。
【図面の簡単な説明】
【００５３】
【図１】本発明の一実施形態に係る募集目的別リスト作成システムの概略構成を示すブロック構成図である。
【図２】一実施形態の募集目的別リスト作成システムにおける募集情報入力に際しての通信手順を示すシーケンスチャートである。
【図３】一実施形態の募集目的別リスト作成システムにおける募集情報入力用のフォーマット画面を示す説明図である。
【図４】募集情報入力用のフォーマット画面におけるプルダウンメニュー形式のジャンル入力欄およびアクション入力欄を示す説明図である。
【図５】一実施形態の募集目的別リスト作成システムにおける目的別募集情報リストの作成手順を示すフローチャートである。
【図６】一実施形態の募集目的別リスト作成システムにより作成される目的別募集情報リストの一例を示すフローチャートである。
【図７】一実施形態の募集目的別リスト作成システムにおけるリスト送信前のリスト作成料の決定又は広告情報付加処理を説明するフローチャートである。
【符号の説明】
【００５４】
１１、１１Ａ、１１Ｂ、１１Ｃ、１１Ｄ    ユーザ端末
２０    サーバ（データ提供者側のサーバ）
２５    データ蓄積装置
３０    伝送媒体（ネットワーク又はインターネット）
１００    書き込み用の募集フォーマット画面
１０１、１０２、１０３、１０４、１０５、１０６、１０７、１０８    データ入力欄
１２０    目的別募集情報リスト
【図１】
2007226841.tif 000003
【図２】
2007226841.tif 000004
【図３】
2007226841.tif 000005
【図４】
2007226841.tif 000006
【図５】
2007226841.tif 000007
【図６】
2007226841.tif 000008
【図７】
2007226841.tif 000009